(57)【要約】効率的に生体の皮膚及び粘膜から吸収させると共にガスミスト圧浴用カバー内の空気やガス、ガスミストの排出や、カバー内部の圧力調整を簡単に行うことができるガスミスト圧浴用カバーを提供する。所定値以上の濃度の炭酸ガス、又は酸素、又は炭酸ガスと酸素の混合ガスと液体を粉砕溶解させたガスミストを封入し生体の皮膚及び粘膜に直接接触させる為のガスミスト圧浴用カバー１００であって、前記生体の皮膚及び粘膜を覆う袋状の生体カバー部材１０１と、前記生体カバー部材１０１の開口部に設けられ、この開口部を締め付けて前記ガスミストの放散を防ぐ締付手段１０２と、前記ガスミスト圧浴用カバー１００内に前記ガスミストを導入する為そのガスミスト圧浴用カバー１００内部と連通するガスミスト供給口１０３と、前記ガスミスト圧浴用カバー１００内に封入された空気、前記ガスミスト又はガスを排出しその量を調整する排出口１０４と、を備える。
2010074196.tif 000002
【特許請求の範囲】
【請求項１】
所定値以上の濃度の炭酸ガス、又は酸素、又は炭酸ガスと酸素の混合ガス（以下、「ガス」という）と液体を粉砕溶解させたミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するため該ガスミスト圧浴用カバー内部と連通するガスミスト供給口と、
前記ガスミスト圧浴用カバー内に封入された空気、前記ガスミスト又はガスを排出しその量を調整する排出口と、
を備えることを特徴とするガスミスト圧浴用カバー。
【請求項２】
前記生体カバー部材内を加圧する加圧手段をさらに備えることを特徴とする請求項１に記載のガスミスト圧浴用カバー。
【請求項３】
前記ガスミスト供給口が、内部に逆止弁を有することを特徴とする請求項１に記載のガスミスト圧浴用カバー。
【請求項４】
前記締付手段が、ゴム、紐、又は面ファスナーのうち何れか一つ又は複数の組み合わせにより構成されることを特徴とする請求項１に記載のガスミスト圧浴用カバー。
【請求項５】
前記生体カバー部材の生体の皮膚及び粘膜に接触する面に、該生体の皮膚及び粘膜に対して粘着性を有する貼着手段を一つ又は複数設けることを特徴とする請求項１に記載のガスミスト圧浴用カバー。
【請求項６】
前記生体カバー部材の形状が、少なくとも人体の手指、手の平、及び手の甲を覆う手袋形状であることを特徴とする請求項１に記載のガスミスト圧浴用カバー。
【請求項７】
前記生体カバー部材の形状が、さらに少なくとも前腕を覆う長手袋形状であることを特徴とする請求項６に記載のガスミスト圧浴用カバー。
【請求項８】
前記生体カバー部材の形状が、少なくとも人体の足指、足底、及び足の甲を覆う靴下形状であることを特徴とする請求項１に記載のガスミスト圧浴用カバー。
【請求項９】
前記生体カバー部材の形状が、さらに少なくとも踝及び下肢を覆う長靴下形状であることを特徴とする請求項８に記載のガスミスト圧浴用カバー。
【請求項１０】
前記加圧手段が、前記生体カバー部材に連通する中空の空気溜部から構成され、
該空気溜部を押圧して該空気溜部内のガスミスト及びガスを、前記生体カバー部材内に排出することにより加圧を行うことを特徴とする請求項２に記載のガスミスト圧浴用カバー。
【請求項１１】
前記空気溜部と前記生体カバー部材との間に、内部に逆止弁を有する接続部を設けることを特徴とする請求項１０に記載のガスミスト圧浴用カバー。
【請求項１２】
前記加圧手段が、前記生体カバー部材の狭窄手段から構成され、
該狭窄手段によって前記生体カバー部材を端部から狭窄することにより加圧を行うことを特徴とする請求項２に記載のガスミスト圧浴用カバー。
【請求項１３】
前記加圧手段が、弾性を有するリング部材から構成され、
前記リング部材の収縮力により、前記リング部材の内周で前記生体カバー部材の外周を押圧することにより加圧を行うことを特徴とする請求項１に記載のガスミスト圧浴用カバー。
【請求項１４】
前記加圧手段が、前記生体カバー部材内を生体の挿入側と空気溜部とに画成する弾性部材からなる遮蔽膜と、該遮蔽膜により画成された前記空気溜部と、該空気溜部に接続されるポンプと、から構成され、
前記ポンプから前記空気溜部内に気体を送出することで前記遮蔽膜を前記空気溜部から前記生体の挿入部側に膨張させることにより加圧を行うことを特徴とする請求項１に記載のガスミスト圧浴用カバー。
【発明の詳細な説明】
【技術分野】
【０００１】
本発明は、炭酸ガス、又は酸素、又は炭酸ガスと酸素の混合ガス（以下、「ガス」という）と液体を粉砕溶解させたミスト（以下、「ガスミスト」という）を、所定の圧力値以上で生体の皮膚及び粘膜に直接接触させるガスミスト圧浴に用いるガスミスト圧浴用カバーに関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。【０００３】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。【０００５】
そこで、炭酸ガスや酸素を生体に直接吸収させるため、本発明者は生体の皮膚及び粘膜を覆うガスミスト圧浴用カバーを用いたガスミスト圧浴装置及びガスミスト圧浴システムをこれまでに提案している。
【発明の概要】
【発明が解決しようとする課題】
【０００６】
しかしながら、上記のガスミスト圧浴に用いる従来の袋状のガスミスト圧浴用カバーでは、カバー内の空気やガス、ガスミストを排出するためには、カバーの締付部や止着部をその都度外す手間が必要であるという問題があった。また、ガスミスト圧浴用カバー内の圧力が高くなりすぎた際にも、同様に締付部や止着部を外して一旦開放し、再度ガスミストを送り込まなければならず、非常に煩雑であった。【０００７】
そこで本発明は、上記状況に鑑みて、少量のガスでも効率的に生体の皮膚及び粘膜から吸収させるとともに、ガスミスト圧浴用カバー内の空気やガス、ガスミストの排出や、カバー内部の圧力調整を簡単に行うことができるガスミスト圧浴用カバーを提供することを目的とする。
【課題を解決するための手段】
【０００８】
上記課題を解決するために、本発明は、所定値以上の濃度の炭酸ガス、又は酸素、又は炭酸ガスと酸素の混合ガス（以下、「ガス」という）と液体を粉砕溶解させたミスト（以下、「ガスミスト」という）を封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、その開口部を締め付けて前記ガスミストの放散を防ぐ締付手段と、前記ガスミスト圧浴用カバー内に前記ガスミストを導入するためそのガスミスト圧浴用カバー内部と連通するガスミスト供給口と、前記ガスミスト圧浴用カバー内に封入された空気、前記ガスミスト又はガスを排出しその量を調整する排出口と、を備えることを特徴とするガスミスト圧浴用カバーを提供するものである。【０００９】
なお、本願においては、液体を粉砕し微細な液滴にして気体（炭酸ガス、又は酸素、又は炭酸ガスと酸素の混合ガス）と接触混合させることを、粉砕溶解という。【００１０】
ここで、上記本発明のガスミスト圧浴用カバーは、前記生体カバー部材内を加圧する加圧手段をさらに備えるのが好適である。【００１１】
また、前記ガスミスト供給口は、内部に逆止弁を有するのが好ましい。【００１２】
さらに、前記締付手段は、ゴム、紐、又は面ファスナーのうち何れか一つ又は複数の組み合わせにより構成されるのが良い。【００１３】
また、前記生体カバー部材の生体の皮膚及び粘膜に接触する面に、その生体の皮膚及び粘膜に対して粘着性を有する貼着手段を一つ又は複数設けるのが好適である。【００１４】
なお、前記生体カバー部材の形状は、少なくとも人体の手指、手の平、及び手の甲を覆う手袋形状、あるいは、さらに少なくとも前腕を覆う長手袋形状であるのが良い。又は、少なくとも人体の足指、足底、及び足の甲を覆う靴下形状、あるいは、さらに少なくとも踝及び下肢を覆う長靴下形状であるのが良い。【００１５】
ところで、前記加圧手段は、前記生体カバー部材に連通する中空の空気溜部から構成され、その空気溜部を押圧してその空気溜部内のガスミスト及びガスを、前記生体カバー部材内に排出することにより加圧を行うのが好適である。そして、前記空気溜部と前記生体カバー部材との間には、内部に逆止弁を有する接続部を設けるようにしても良い。【００１６】
あるいは、前記加圧手段を、前記生体カバー部材の狭窄手段から構成し、その狭窄手段によって前記生体カバー部材を端部から狭窄することにより加圧を行うようにしても良い。【００１７】
もしくは、前記加圧手段を、弾性を有するリング部材から構成し、前記リング部材の収縮力により、前記リング部材の内周で前記生体カバー部材の外周を押圧することにより加圧を行うようにしても良い。【００１８】
さらには、前記加圧手段を、前記生体カバー部材内を生体の挿入側と空気溜部とに画成する弾性部材からなる遮蔽膜と、その遮蔽膜により画成された前記空気溜部と、その空気溜部に接続されるポンプと、から構成し、前記ポンプから前記空気溜部内に気体を送出することで前記遮蔽膜を前記空気溜部から前記生体の挿入部側に膨張させることにより加圧を行うようにしても良い。
【発明の効果】
【００１９】
本発明によれば、大量のガスを必要とせず、さらにガスミスト圧浴用カバー内の空気等の排出や、カバー内部の圧力調整を簡単に行いながら、効率的にガスミストを生体の皮膚及び粘膜から吸収させることが可能となる。
【図面の簡単な説明】
【００２０】
【図１】本発明の第１の実施形態に係るガスミスト圧浴用カバーを適用するガスミスト圧浴用システムの一例を示す模式図である。
【図２】本発明の第１の実施形態に係るガスミスト圧浴用カバーの全体概略図である。
【図３】本発明の第１の実施形態に係るガスミスト圧浴用カバーの装着状態を示す模式図である。
【図４】本発明の第１の実施形態に係るガスミスト圧浴用カバーの他の装着例を示す模式図である。
【図５】本発明の第２の実施形態に係るガスミスト圧浴用カバーを適用するガスミスト圧浴用システムの一例を示す模式図である。
【図６】本発明の第２の実施形態に係るガスミスト圧浴用カバーの全体概略図である。
【図７】本発明の第２の実施形態に係るガスミスト圧浴用カバーの装着状態を示す模式図である。
【図８】本発明の第２の実施形態に係るガスミスト圧浴用カバーの他の装着例を示す模式図である。
【図９】本発明の第２の実施形態に係るガスミスト圧浴用カバーの他の加圧部の例を示す模式図（その１）である。
【図１０】本発明の第２の実施形態に係るガスミスト圧浴用カバーの他の加圧部の例を示す模式図（その２）である。
【図１１】本発明の第２の実施形態に係るガスミスト圧浴用カバーの他の加圧部の例を示す模式図（その３）である。
【図１２】本発明の第２の実施形態に係るガスミスト圧浴用カバーの他の加圧部の例を示す模式図（その４）である。
【発明を実施するための形態】
【００２１】
以下、本発明の実施の形態について、図面を参照しながら詳細に説明する。
【００２２】
〔第１の実施形態〕
まず、本発明のガスミスト圧浴用カバーを適用するガスミスト圧浴用システムの概略について説明する。図１は、ガスミスト圧浴用システムの一例を示す模式図である。この図に示すように、ガスミスト圧浴システムは、ガス供給手段１１と、液体供給手段２１と、液体とガス（炭酸ガス、又は酸素、又は炭酸ガスと酸素の混合ガス）を粉砕溶解したガスミストを発生させて供給するガスミスト供給手段３１と、供給されたガスミストを内部に封入する空間を形成するガスミスト圧浴用カバー１００と、ガスミストの生成及び供給制御を行う制御装置５１と、から構成される。
【００２３】
ガス供給手段１１は、ガスミスト供給手段３１にガスを供給する。ただし、ガスミスト圧浴用カバー１００内にミストが十分に供給されている場合は、ガス供給手段１１から直接ガスのみをガスミスト圧浴用カバー１００内に供給する。このガス供給手段１１としてはガスボンベを用いるのが最適である。ガス供給手段１１には、ガスの圧力調整のためのレギュレータ１２が設けられている。なお、図示は省略するが、ガス供給手段１１には、ガスを加温するためのヒータや、温度制御のための温度計を配置しても良い。
【００２４】
液体供給手段２１は、ポンプ等から構成され、ガスミスト供給手段３１に液体を供給する。この液体としては、水、イオン水、生理食塩水、オゾン水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、抗ガン剤、血圧降下剤、化粧剤、増毛剤、発毛剤、育毛剤等が挙げられる。さらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒、又は光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。あるいは、エタノール、グルコン酸クロルヘキシジン、両性界面活性剤、塩化ベンザルコニウム、酢酸アルキルジアミノエテルグリシン、次亜塩素酸ナトリウム、過酢酸、セスキ炭酸ナトリウム、シリカ、ポピドンヨード、炭酸水素ナトリウムを添加しても良い。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００２５】
また、図１に示すように、複数の液体供給手段２１Ａ、２１Ｂを配置し、それぞれ異なる液体を供給するようにしても良い。この液体供給手段２１には、供給圧調整のための圧力計２２（２２Ａ、２２Ｂ）をそれぞれ設ける。また、液体を加温する（例えば水を４０℃程度の湯にする）ためのヒータ（図示せず）や、温度制御のための温度計（図示せず）をそれぞれ設けるのが望ましい。
【００２６】
ガスミスト供給手段３１は、液体供給手段２１から供給された液体とガス供給手段１１から供給されたガスとを粉砕溶解したガスミストの状態でガスミスト圧浴用カバー１００内に加圧供給する装置である。ガスは、液体と粉砕溶解されたガスミストの状態で供給されることで、皮膚及び粘膜からの吸収が促進される。この際、ミストの粒径は１０μｍ以下であるのが最適である。ここでは、流体ノズル３２によりガス供給手段１１から供給されたガスの高速流を利用してガスミストを生成し、ガスミスト圧浴用カバー１００内に供給する例を示している。このほか、液体中にガスを高圧で噴射することによりガスミストを生成する装置や超音波を利用してガスミストを生成する装置等、様々な方式のガスミスト供給装置を用いることができる。
【００２７】
制御装置５１は、ＣＰＵ、メモリ、ディスプレイを備えたコンピュータから構成される。そして、ガス供給手段１１から供給されるガスの圧力調整やオン・オフ切替、ガスミスト供給手段３１／ガスミスト圧浴用カバー１００へのガスの供給切替、液体供給手段２１からの液体の供給圧調整や温度調整、供給のオン・オフ切替、ガスミスト供給手段３１からのガスミストの供給のオン・オフ切替等々の各種制御を行い、最適な状態でガスミスト圧浴が行えるようにする。特に、ガスミスト圧浴用カバー１００内の圧力値が所定値以上になった場合、制御装置５１によりガス供給手段１１のガスの供給を停止するように構成するのが好適である。
【００２８】
ガスミスト圧浴用カバー１００は、生体（ここでは例として人体の手部）の皮膚及び粘膜を覆い、ガスミスト及びガスを内部に封入する空間を形成できるカバーである。図２は、本発明の第１の実施形態に係るガスミスト圧浴用カバーの全体概略図、図３は、そのガスミスト圧浴用カバーの装着状態を示す模式図である。
【００２９】
ガスミスト圧浴用カバー１００は、これらの図に示すように、生体の皮膚及び粘膜を覆う袋状の生体カバー部材１０１と、この生体カバー部材１０１の開口部に設けられ、開口部を閉じてガスミスト及びガスの放散を防ぐ締付部１０２と、生体カバー部材１０１の内部にガスミスト及びガスミストを導入するガスミスト供給口１０３と、生体カバー部材１０１の内部の空気やガスミスト、ガスの量を調整したり排出したりするための排出口１０４とから構成される。
【００３０】
生体カバー部材１０１は、生体の部位（ここでは例として、人体の手部）を被覆できる程度の大きさの袋体から構成される。また、生体カバー部材１０１は、耐圧性、非通気性、非透湿性素材の織布又は不織布等から形成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００３１】
生体カバー部材１０１の開口部には、ガスミスト及びガスの漏出を防ぐための締付部１０２が設けられている。ここでは一例として、締付部１０２は紐１０２ａと紐止め１０２ｂから構成される。締付部１０２は上記のような紐のほか、ゴム、面ファスナー等を単独あるいは複数組み合わせて構成しても良い。
【００３２】
生体カバー部材１０１の開口部には、上記の締付部１０２のほか、生体カバー部材１０１内の密閉性を高めるためにさらに、貼着部１０５が設けられている。貼着部１０５は生体の皮膚及び粘膜に粘着する素材からなり、生体カバー部材１０１の開口部や締付部１０２の内側面のほか、生体の皮膚及び粘膜が接触する面に、一箇所もしくは複数設けるのが好適である。貼着部１０５は、例えばポリウレタンやシリコンゴム等からなる粘弾性ゲルであるのが好ましい。また、取り外し可能であり、使用の都度あるいは粘性が弱くなれば交換できる構成とするのが最適である。
【００３３】
ガスミスト供給口１０３は、生体カバー部材１０１内部にガスミスト及びガスを導入するために生体カバー部材１０１内部と連通して設けられている。このガスミスト供給口１０３にガスミスト供給手段３１やガス供給手段１１等のガスミスト及びガスの供給手段を接続して、生体カバー部材１０１内にガスミスト及びガスを供給する。ガスミスト及びガスの逆流を防止するため、このガスミスト供給口１０３内部には逆止弁が配置されている。
【００３４】
排出口１０４は、生体カバー部材１０１内の空気を抜く際や、生体カバー部材１０１内のガスミストやガスを抜いて圧力を調整する際に、それら空気やガスミスト及びガスを排出するための通気口である。排出口１０４は、通常時は弁やキャップ等で通気を防止しており、上記排出を行う際にのみ開弁させたりキャップを外したりすることにより通気が可能になる構造を有している。これらの圧力調整は手動で行われても良いが、後述する圧力計６１の計測値に基づき、ガスやガスミストの供給制御とともに制御装置５１により自動的に行われるのが望ましい。あるいは、生体カバー部材１０１内が一定圧力以上になると自動的に弁が開く安全弁（逃し弁）を排出口１０４としても良い。
【００３５】
生体カバー部材１０１内には、その内部の圧力を計測するための圧力計６１が設置される。制御装置５１は、ガスミスト圧浴用カバー１００内の圧力値を１気圧以上（より好適には１．０２乃至２．５気圧程度）に保つため、この圧力計６１の計測値に基づき、ガスミスト及びガスの供給を制御する。例えば、ガス供給手段１１、ガスミスト供給手段３１からのガスやガスミストの供給を調整、停止したり、ガスミスト圧浴用カバー１００からガスミストやガスを排出したりする。また、ガスミスト圧浴用カバー１００の内部にはガスミスト圧浴用カバー１００内の温度を計測するための温度計６２が設置される。制御装置５１は、ガスミスト圧浴用カバー１００内を温浴効果が得られる設定温度（例えば３８℃程度）に保つため、温度計６２の計測値に基づき液体供給手段２１に設けられたヒータのオン・オフ等を行う。
【００３６】
そこで、上記のガスミスト圧浴システムと本発明のガスミスト圧浴用カバー１００を用いたガスミスト圧浴の方法を説明する。まず、袋状の生体カバー部材１０１を広げ、ガスミスト圧浴を行いたい生体の部位（ここでは人体の手部）を生体カバー部材１０１内に挿入する。次いで、締付部１０２の紐１０２ａを引いて締め付け、紐１０２ａを紐止め１０２ｂで固定する。さらに、生体カバー部材１０１の開口部の貼着部１０５を手首周りに貼り付けて、生体カバー部材１０１内部を略密閉状態とする。また、排出口１０４から内部の空気をできるだけ排出しておく。それからガス供給手段１１からガスを、液体供給手段２１から液体を、ガスミスト供給手段３１へ供給する。その際制御装置５１は、液体及びガスの供給圧や量、温度等の調整を行う。これによりガスミスト供給手段３１はガスミストを生成し、生成されたガスミストは供給口１０３から生体カバー部材１０１内へ供給される。生体カバー部材１０１内にミストが十分に充填された場合は、ガス供給手段１１から直接ガスのみを生体カバー部材１０１内に供給する。このとき、ガスミスト圧浴用カバー１００内にはガスが約９５−９７％、液体が約３−５％の割合で存在するようにするのが好適である。ミスト中には約４０ｐｐｍの濃度でガスが溶解し、そのミストサイズが約２３２ｐｍ程度となるのが好ましい。制御装置５１は圧力計６１、温度計６２の計測値から、生体カバー部材１０１内が最適な加圧、加温状態（約１．０２乃至２．５気圧、約３８℃）となるよう制御する。圧力が高すぎた場合や内部のガスミスト及びガスを入れ替えたい場合は、排出口１０４から簡便に排気しその調整が可能である。このようにして最適なガスミスト圧浴を行う。
【００３７】
上記実施形態では、ガスミスト圧浴を行う生体の部位として、人体の手部（手指、手の平、及び手の甲）を例に挙げて説明したが、本発明のガスミスト圧浴用カバーは、その他様々な部位に適用することができる。図４は、本発明の第１の実施形態に係るガスミスト圧浴用カバーの他の装着例を示す模式図である。
【００３８】
図３が手指、手の平、及び手の甲を覆う短い手袋形状のガスミスト圧浴用カバーであったのに対し、図４（ａ）では、手に加えてさらに前腕も覆う長手袋形状のガスミスト圧浴用カバー１００Ａを示している。この長手袋形状のガスミスト圧浴用カバー１００Ａも、生体カバー部材１０１Ａと、締付部１０２Ａと、ガスミスト供給口１０３Ａと、排出口１０４Ａと、貼着部１０５Ａから構成される。
【００３９】
次に、図４（ｂ）は、足（足指、足底、及び足の甲）用の短い靴下形状のガスミスト圧浴用カバー１００Ｂを示している。この短い靴下形状のガスミスト圧浴用カバー１００Ｂも、生体カバー部材１０１Ｂと、締付部１０２Ｂと、ガスミスト供給口１０３Ｂと、排出口１０４Ｂと、貼着部１０５Ｂから構成される。
【００４０】
図４（ｂ）が足指、足底、及び足の甲を覆う短い靴下形状のガスミスト圧浴用カバー１００Ｂであったのに対し、図４（ｃ）では、足に加えてさらに踝、下肢も覆う長い靴下形状のガスミスト圧浴用カバー１００Ｃを示している。この長い靴下形状のガスミスト圧浴用カバー１００Ｃも、生体カバー部材１０１Ｃと、締付部１０２Ｃと、ガスミスト供給口１０３Ｃと、排出口１０４Ｃと、貼着部１０５Ｃから構成される。
【００４１】
〔第２の実施形態〕
図５は、本発明の第２の実施形態に係るガスミスト圧浴用カバーを適用するガスミスト圧浴用システムの一例を示す模式図である。本実施形態では、生体カバー部材内を容易に加圧する加圧手段をさらに備えたガスミスト圧浴用カバーについて説明する。なお、図１に示す第１の実施形態と同一の部分については、同一の符号を付して詳細な説明は省略する。
【００４２】
図５に示すように、本実施形態のガスミスト圧浴用カバー２００は、生体の皮膚及び粘膜を覆い、ガスミスト及びガスを内部に封入する空間を形成する生体カバー部材２０１のほかに、この生体カバー部材２０１内を加圧する加圧部２０６を備えている。
【００４３】
以下、ガスミスト圧浴用カバー２００について図６乃至図７に基づきより具体的に説明する。図６は、本実施形態に係るガスミスト圧浴用カバーの全体概略図、図７はそのガスミスト圧浴用カバーの装着状態を示す模式図である。
【００４４】
これらの図に示すように、ガスミスト圧浴用カバー２００は、生体（ここでは例として人体の手部）の皮膚及び粘膜を覆う袋状の生体カバー部材２０１と、この生体カバー部材２０１の開口部に設けられ、開口部を閉じてガスミスト及びガスの放散を防ぐ締付部２０２と、内部に逆止弁を備え、加圧部２０６を介してガスミスト圧浴用カバー２００の内部にガスミスト及びガスを導入するガスミスト供給口２０３と、ガスミスト圧浴用カバー２００の内部の空気やガスミスト、ガスの量を調整したり排出したりするための排出口２０４と、生体カバー部材２０１内の密閉性を高める貼着部２０５と、生体カバー部材２０１内を加圧するための加圧部２０６と、から構成される。加圧部２０６は、生体カバー部材２０１と連通する中空の空気溜２０７と、この空気溜２０７と生体カバー部材２０１とを接続する接続部２０８とから構成される。
【００４５】
生体カバー部材２０１は、生体の部位（ここでは例として、人体の手部）を被覆できる程度の大きさの袋体から構成される。また、生体カバー部材２０１は、耐圧性、非通気性、非透湿性素材の織布又は不織布等から形成される。例えば、天然ゴム、シリコンゴム、ポリエチレン、ポリプロピレン、ポリ塩化ビニリデン、ポリスチレン、ポリ酢酸ビニル、ポリ塩化ビニル、ポリアミド系樹脂、ポリテトラフルオロエチレン等からなるのが好適である。
【００４６】
生体カバー部材２０１の開口部には、ガスミスト及びガスの漏出を防ぐための締付部２０２が設けられている。ここでは一例として、締付部２０２は紐２０２ａと紐止め２０２ｂから構成される。締付部２０２は上記のような紐のほか、ゴム、面ファスナー等を単独あるいは複数組み合わせて構成しても良い。
【００４７】
生体カバー部材２０１の開口部には、上記の締付部２０２のほか、生体カバー部材２０１内の密閉性を高めるためにさらに、貼着部２０５が設けられている。貼着部２０５は生体の皮膚及び粘膜に粘着する素材からなり、生体カバー部材２０１の開口部や締付部２０２の内側面のほか、生体の皮膚及び粘膜が接触する面に、一箇所もしくは複数設けるのが好適である。貼着部２０５は、例えばポリウレタンやシリコンゴム等からなる粘弾性ゲルであるのが好ましい。また、取り外し可能であり、使用の都度あるいは粘性が弱くなれば交換できる構成とするのが最適である。
【００４８】
ガスミスト供給口２０３は、ガスミスト圧浴用カバー２００内部にガスミスト及びガスを導入するため、ガスミスト圧浴用カバー２００（空気溜２０７）内部と連通して設けられている。このガスミスト供給口２０３にガスミスト供給手段３１やガス供給手段１１等のガスミスト及びガスの供給手段を接続して、生体カバー部材２０１内にガスミスト及びガスを供給する。ガスミスト及びガスの逆流を防止するため、このガスミスト供給口２０３内部には逆止弁が配置されている。なお、図５乃至７に示すガスミスト圧浴用カバー２００では、ガスミスト供給手段３１及びガス供給手段１１からのガスミスト及びガスは、まず供給口２０３から加圧部２０６に供給され、接続部２０８を介して生体カバー部材２０１内に供給される。
【００４９】
排出口２０４は、ガスミスト圧浴用カバー２００内の空気を抜く際や、ガスミスト圧浴用カバー２００内のガスミストやガスを抜いて圧力を調整する際に、それら空気やガスミスト及びガスを排出するための通気口である。排出口２０４は、通常時は弁やキャップ等で通気を防止しており、上記排出を行う際にのみ開弁させたりキャップを外したりすることにより通気が可能になる構造を有している。これらの圧力調整は手動で行われても良いが、圧力計６１の計測値に基づき、ガスやガスミストの供給制御とともに制御装置５１により自動的に行われるのが望ましい。あるいは、生体カバー部材２０１内が一定圧力以上になると自動的に弁が開く安全弁（逃し弁）を排出口２０４としても良い。
【００５０】
加圧部２０６は、生体カバー部材２０１内を加圧する手段であり、ここでは生体カバー部材２０１と連通する中空の空気溜２０７と、この空気溜２０７と生体カバー部材２０１とを接続する接続部２０８から構成されている。生体カバー部材２０１内にガスミスト及びガスを導入すると共に空気溜２０７にもガスミスト又はガスを溜め、図５の矢印に示す通り空気溜２０７を押し潰すように加圧すると、接続部２０８を介して空気溜２０７内のガスミスト又はガスが生体カバー部材２０１へ排出される。これにより生体カバー部材２０１内が加圧される。なお、接続部２０８の内部には、ガスミスト及びガスの逆流を防止するため逆止弁が配置されている。
【００５１】
空気溜２０７は、手動で押圧する構成としても良いし、駆動装置等を用いて制御装置５１の制御で機械的に行っても良い。ガスミスト圧浴における加圧は、所定のインターバルでパルス状に行うことにより効果が高まるため、空気溜２０７を一定のリズムで間歇的に押圧するようにしても良い。その際のインターバル加圧の間隔は、脈の拍動にほぼ同期させると効果が高くなる。
【００５２】
生体カバー部材２０１内には、その内部の圧力を計測するための圧力計６１が設置される。制御装置５１は、ガスミスト圧浴用カバー２００内の圧力値を１気圧以上（より好適には１．０２乃至２．５気圧程度）に保つため、この圧力計６１の計測値に基づき、ガスミスト及びガスの供給を制御する。例えば、ガス供給手段１１、ガスミスト供給手段３１からのガスやガスミストの供給を調整、停止したり、ガスミスト圧浴用カバー２００からガスミストやガスを排出したりする。また、ガスミスト圧浴用カバー２００の内部にはガスミスト圧浴用カバー２００内の温度を計測するための温度計６２が設置される。制御装置５１は、ガスミスト圧浴用カバー２００内を温浴効果が得られる設定温度（例えば３８℃程度）に保つため、温度計６２の計測値に基づき液体供給手段２１に設けられたヒータのオン・オフ等を行う。
【００５３】
そこで、上記のガスミスト圧浴システムと本発明のガスミスト圧浴用カバーを用いたガスミスト圧浴の方法を説明する。まず、袋状の生体カバー部材２０１を広げ、ガスミスト圧浴を行いたい生体の部位（ここでは人体の手部）を生体カバー部材２０１内に挿入する。次いで、締付部２０２の紐２０２ａを引いて締め付け、紐２０２ａを紐止め２０２ｂで固定する。さらに、生体カバー部材２０１の開口部の貼着部２０５を手首周りに貼り付けて、生体カバー部材２０１内部を略密閉状態とする。また、排出口２０４から内部の空気をできるだけ排出しておく。それからガス供給手段１１からガスを、液体供給手段２１から液体を、ガスミスト供給手段３１へ供給する。その際制御装置５１は、液体及びガスの供給圧や量、温度等の調整を行う。これによりガスミスト供給手段３１はガスミストを生成し、生成されたガスミストは供給口２０３から空気溜２０７、接続部２０８を介して生体カバー部材２０１内へ供給される。生体カバー部材２０１内にミストが十分に充填された場合は、ガス供給手段１１から直接ガスのみを生体カバー部材２０１内に供給する。このとき、ガスミスト圧浴用カバー２００内にはガスが約９５−９７％、液体が約３−５％の割合で存在するようにするのが好適である。ミスト中には約４０ｐｐｍの濃度でガスが溶解し、そのミストサイズが約２３２ｐｍ程度となるのが好ましい。制御装置５１は、温度計６２の計測値から生体カバー部材２０１内が最適な温度（例えば約３８℃）となるよう制御する。そして、生体カバー部材２０１と空気溜２０７に最適な量のガスミスト又はガスが溜まったところで、制御装置５１はガスミスト又はガスの供給を一旦停止する。次いで、空気溜２０７を押し潰すように押圧する。これにより空気溜２０７内のガスミスト又はガスを生体カバー部材２０１内に排出し、生体カバー部材２０１内を適度（約１．０２〜２．５気圧）に加圧し、ガスミスト圧浴を行う。圧力が高すぎた場合や内部のガスミスト及びガスを入れ替えたい場合は、排出口２０４から簡便に排気しその調整が可能である。このようにして最適なガスミスト圧浴を行う。
【００５４】
上記実施形態では、ガスミスト圧浴を行う生体の部位として、人体の手部（手指、手の平、及び手の甲）を例に挙げて説明したが、本発明のガスミスト圧浴用カバーは、その他様々な部位に適用することができる。図８は、本発明の第１の実施形態に係るガスミスト圧浴用カバーの他の装着例を示す模式図である。
【００５５】
図５が手指、手の平、及び手の甲を覆う短い手袋形状のガスミスト圧浴用カバーであったのに対し、図８（ａ）では、手に加えてさらに前腕も覆う長手袋形状のガスミスト圧浴用カバー２００Ａを示している。この長手袋形状のガスミスト圧浴用カバー２００Ａも、生体カバー部材２０１Ａと、締付部２０２Ａと、ガスミスト供給口２０３Ａと、排出口２０４Ａと、貼着部２０５Ａと、加圧部２０６Ａ（空気溜２０７Ａ、接続部２０８Ａ）とから構成される。
【００５６】
次に、図８（ｂ）は、足（足指、足底、及び足の甲）用の短い靴下形状のガスミスト圧浴用カバー２００Ｂを示している。この短い靴下形状のガスミスト圧浴用カバー２００Ｂも、生体カバー部材２０１Ｂと、締付部２０２Ｂと、ガスミスト供給口２０３Ｂと、排出口２０４Ｂと、貼着部２０５Ｂと、加圧部２０６Ｂ（空気溜２０７Ｂ、接続部２０８Ｂ）とから構成される。
【００５７】
図８（ｂ）が足指、足底、及び足の甲を覆う短い靴下形状のガスミスト圧浴用カバー２００Ｂであったのに対し、図８（ｃ）では、足に加えてさらに踝、下肢も覆う長い靴下形状のガスミスト圧浴用カバー２００Ｃを示している。この長い靴下形状のガスミスト圧浴用カバー２００Ｃも、生体カバー部材２０１Ｃと、締付部２０２Ｃと、ガスミスト供給口２０３Ｃと、排出口２０４Ｃと、貼着部２０５Ｃと、加圧部２０６Ｃ（空気溜２０７Ｃ、接続部２０８Ｃ）とから構成される。
【００５８】
なお、上記実施形態では加圧部を、接続部を介して生体カバー部材に連通して設けられる中空の空気溜から構成したが、このほか生体カバー部材内を簡便に加圧できるものであればどのようなものを用いても良い。以下、他の加圧部の構成例について説明する。
【００５９】
図９は、本発明の第２の実施形態に係るガスミスト圧浴用カバーの他の加圧部の例を示す模式図（その１）である。ここでは、加圧部３０６が生体カバー部材を狭窄させる狭窄リング３０７から構成されるガスミスト圧浴用カバー３００について説明する。なお、以下では、生体カバー部材３０１、供給口３０３、加圧部３０６の構成が異なる以外は、上記図５と同様の構成を有するため、上記以外の各部の詳細な説明は省略する。
【００６０】
このガスミスト圧浴用カバー３００は、袋状の生体カバー部材３０１と、この生体カバー部材３０１の開口部に設けられ、ガスミスト及びガスの放散を防ぐ締付部３０２と、内部に逆止弁を備えると共に生体カバー部材３０１と連通し、ガスミスト圧浴用カバー３００の内部にガスミスト及びガスを導入するガスミスト供給口３０３と、ガスミスト圧浴用カバー３００の内部の空気やガスミスト、ガスの量を調整したり排出したりするための排出口３０４と、生体カバー部材３０１内の密閉性を高める貼着部３０５と、生体カバー部材３０１内を加圧するための加圧部３０６と、から構成される。
【００６１】
加圧部３０６は、ゴム等の弾性部材から形成された、細孔を有する狭窄リング３０７よりなる。その狭窄リング３０７の細孔に袋状の生体カバー部材３０１の先端部（袋底部）３０１ａを通し、図９の矢印方向にスライドさせると、先端部（袋底部）３０１ａ近傍は狭窄リング３０７の細孔によって狭窄され、生体カバー部材３０１のガスミスト及びガスの溜まるスペースが狭まるため、生体カバー部材３０１内は加圧される。
【００６２】
ここで、加圧部３０６として上記の狭窄リング３０７に代えてクリップ等を用いることもできる。つまり、生体カバー部材３０１を先端部３０１ａから狭窄することによってガスミスト及びガスの溜まるスペースを狭め、生体カバー部材３０１内の加圧を行うことができるものであれば、何を用いても良い。
【００６３】
加圧部３０６（狭窄リング３０７）は手動でスライド、固定させる構成であっても良いし、制御装置５１の制御により駆動装置等でこれらの動作を機械的に行うものであっても良い。また、加圧部３０６（狭窄リング３０７）のスライド動作による加圧は、所定のインターバルでパルス状に行うようにしても良い。さらに、ここでは適用する生体の部位として人体の手部を例に図示したが、このほか様々な部位に適用できることは言うまでもない。
【００６４】
次に、加圧部４０６が略球状の中空の空気溜４０７からなるガスミスト圧浴用カバー４００について説明する。図１０は、本発明の第２の実施形態に係るガスミスト圧浴用カバーの他の加圧部の例を示す模式図（その２）である。なお、以下では、生体カバー部材４０１、供給口４０３、加圧部４０６の構成が異なる以外は、上記図５と同様の構成を有するため、上記以外の各部の詳細な説明は省略する。
【００６５】
このガスミスト圧浴用カバー４００は、袋状の生体カバー部材４０１と、この生体カバー部材４０１の開口部に設けられ、ガスミスト及びガスの放散を防ぐ締付部４０２と、内部に逆止弁を備えると共に生体カバー部材４０１と連通し、ガスミスト圧浴用カバー４００の内部にガスミスト及びガスを導入するガスミスト供給口４０３と、ガスミスト圧浴用カバー４００の内部の空気やガスミスト、ガスの量を調整したり排出したりするための排出口４０４と、生体カバー部材４０１内の密閉性を高める貼着部４０５と、生体カバー部材４０１内を加圧するための加圧部４０６と、から構成される。
【００６６】
加圧部４０６は、生体カバー部材４０１と連通して設けられた略球状の空気溜４０７から構成される。図１０に示すように、生体カバー部材４０１とは縊れ部４０７ａにより形状的に区切られている。そして、この空気溜４０７を押し潰すように押圧することによりガスミスト又はガスを生体カバー部材４０１内に排出し、生体カバー部材４０１内を適度に加圧することができる。
【００６７】
なお、空気溜４０７には空気溜４０７全体を覆う専用のカバーを設けるようにしても良い。また、空気溜４０７の押圧は手動であっても制御装置５１により駆動装置等で機械的に行うものであっても良い。また、加圧部４０６による加圧は、所定のインターバルでパルス状に行うようにしても良い。さらに、ここでは適用する生体の部位として人体の手部を例に図示したが、このほか様々な部位に適用できることは言うまでもない。
【００６８】
次に、加圧部５０６が生体カバー部材５０１を外側から押圧する押圧リング５０７からなるガスミスト圧浴用カバー５００について説明する。図１１は、本発明の第２の実施形態に係るガスミスト圧浴用カバーの他の加圧部の例を示す模式図（その３）である。なお、以下では、生体カバー部材５０１、供給口５０３、加圧部５０６の構成が異なる以外は、上記図５と同様の構成を有するため、上記以外の各部の詳細な説明は省略する。
【００６９】
このガスミスト圧浴用カバー５００は、袋状の生体カバー部材５０１と、この生体カバー部材５０１の開口部に設けられ、ガスミスト及びガスの放散を防ぐ締付部５０２と、内部に逆止弁を備えると共に生体カバー部材５０１と連通し、ガスミスト圧浴用カバー５００の内部にガスミスト及びガスを導入するガスミスト供給口５０３と、ガスミスト圧浴用カバー５００の内部の空気やガスミスト、ガスの量を調整したり排出したりするための排出口５０４と、生体カバー部材５０１内の密閉性を高める貼着部５０５と、生体カバー部材５０１内を加圧するための加圧部５０６と、から構成される。
【００７０】
加圧部５０６は、ゴムやコイルばね等の弾性部材から構成された、中央に孔を有する押圧リング５０７から構成される。その押圧リング５０７の中央の孔に袋状の生体カバー部材５０１の先端部（袋底部）５０１ａを通し、生体カバー部材５０１を押圧リング５０７の収縮力によって外側から押圧する。なお、生体カバー部材５０１には押圧リング５０７のズレを防ぐために、予め縊れ部５０１ｂが形成されているのが好ましい（縊れ部５０１ｂの外径＞押圧リング５０７の孔径）。この縊れ部５０１ｂに押圧リング５０７を掛けてその収縮力によって生体カバー部材５０１を外側から押圧することにより、生体カバー部材５０１内を適度に加圧することができる。
【００７１】
ここで、加圧部５０６として上記の押圧リング５０７に代えてクリップ等を用いることもできる。つまり、生体カバー部材５０１を外側から押圧して、生体カバー部材５０１内の加圧を行うことができるものであれば、何を用いても良い。
【００７２】
なお、ここでは適用する生体の部位として人体の手部を例に図示したが、このほか様々な部位に適用できることは言うまでもない。
【００７３】
次に、加圧部６０６が主に生体カバー部材６０１内に設けられる空気溜６０７ｂとポンプ（シリンジ）６０７ｃから構成されるガスミスト圧浴用カバー６００について説明する。図１２は、本発明の第２の実施形態に係るガスミスト圧浴用カバーの他の加圧部の例を示す模式図（その４）である。なお、以下では、生体カバー部材６０１、供給口６０３、加圧部６０６の構成が異なる以外は、上記図５と同様の構成を有するため、上記以外の各部の詳細な説明は省略する。
【００７４】
このガスミスト圧浴用カバー６００は、袋状の生体カバー部材６０１と、この生体カバー部材６０１の開口部に設けられ、ガスミスト及びガスの放散を防ぐ締付部６０２と、内部に逆止弁を備えると共に生体カバー部材６０１と連通し、ガスミスト圧浴用カバー６００の内部にガスミスト及びガスを導入するガスミスト供給口６０３と、ガスミスト圧浴用カバー６００の内部の空気やガスミスト、ガスの量を調整したり排出したりするための排出口６０４と、生体カバー部材６０１内の密閉性を高める貼着部６０５と、生体カバー部材６０１内を加圧するための加圧部６０６と、から構成される。
【００７５】
加圧部６０６は、生体カバー部材６０１内に空気溜６０７ｂを画成するように設けられた遮蔽膜６０７ａと、この遮蔽膜６０７ａによって生体カバー部材６０１内に形成された空気溜６０７ｂと、この空気溜６０７ｂに空気を注入するシリンジ６０７ｃから構成される。なお、６０８は空気溜６０７ｂとシリンジ６０７ｃとが接続される空気注入口である。
【００７６】
遮蔽膜６０７ａは、弾性及び耐圧性、非通気性、非透湿性を有する素材（例えばシリコンゴム、ラテックスゴム等）から構成され、生体カバー部材６０１内に空気溜６０７ｂを画成する。空気溜６０７ｂにはシリンジ６０７ｃと接続するための空気注入口６０８が形成されている。この空気注入口６０８には、内部に空気の逆流を防止するため逆止弁が配置されるのが好ましい。遮蔽膜６０７ａで区切られた空気溜６０７ｂに、シリンジ６０７ｃによって空気を送気することによって、弾性素材からなる遮蔽膜６０７ａを生体の挿入側に風船状に膨張させる。これにより生体カバー部材６０１のガスミスト及びガスの溜まるスペースが狭まるため、生体カバー部材６０１内は加圧される。
【００７７】
なお、ここで、加圧部６０６のシリンジ６０７ｃは手動で空気溜６０７ｂに空気を送出する構成であっても良いし、制御装置５１の制御により駆動装置等でこれらの動作を機械的に行うものであっても良い。また、シリンジ６０７ｃの動作は、所定のインターバルでパルス状に行うようにしても良い。さらに、ここでは適用する生体の部位として人体の手部を例に図示したが、このほか様々な部位に適用できることは言うまでもない。
【００７８】
なお、上記した各実施形態では、ガスミスト圧浴用カバーを人体に適用する例を示したが、本発明のガスミスト圧浴用カバーは、人体に限らず動物等に用いても良い。
【００７９】
上記のように構成したため、本発明によれば、大量のガスを必要とせず、さらにガスミスト圧浴用カバー内の空気等の排出や、カバー内部の圧力調整を簡単に行いながら、効率的にガスミストを生体の皮膚及び粘膜から吸収させることが可能となる。
【００８０】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００８１】
本発明は、炭酸ガス、又は酸素、又は炭酸ガスと酸素の混合ガスと液体を粉砕溶解させたガスミストを、所定の圧力値以上で生体の皮膚及び粘膜に直接接触させるガスミスト圧浴に用いるガスミスト圧浴用カバーに関し、産業上の利用可能性を有する。
【符号の説明】
【００８２】
１１    ガス供給手段
１２    レギュレータ
２１、２１Ａ、２１Ｂ    液体供給手段
２２、２２Ａ、２２Ｂ    圧力計
３１    ガスミスト供給手段
３２    流体ノズル
５１    制御装置
６１    圧力計
６２    温度計
１００、１００Ａ、１００Ｂ、１００Ｃ、２００、２００Ａ、２００Ｂ、２００Ｃ、３００、４００、５００、６００    ガスミスト圧浴用カバー
１０１、１０１Ａ、１０１Ｂ、１０１Ｃ、２０１、２０１Ａ、２０１Ｂ、２０１Ｃ、３０１、４０１、５０１、６０１    生体カバー部材
１０２、１０２Ａ、１０２Ｂ、１０２Ｃ、２０２、２０２Ａ、２０２Ｂ、２０２Ｃ、３０２、４０２、５０２、６０２    締付部
１０２ａ、２０２ａ    紐
１０２ｂ、２０２ｂ    紐止め
１０３、１０３Ａ、１０３Ｂ、１０３Ｃ、２０３、２０３Ａ、２０３Ｂ、２０３Ｃ、３０３、４０３、５０３、６０３    ガスミスト供給口
１０４、１０４Ａ、１０４Ｂ、１０４Ｃ、２０４、２０４Ａ、２０４Ｂ、２０４Ｃ、３０４、４０４、５０４、６０４    排出口
１０５、１０５Ａ、１０５Ｂ、１０５Ｃ、２０５、２０５Ａ、２０５Ｂ、２０５Ｃ、３０５、４０５、５０５、６０５    貼着部
２０６、２０６Ａ、２０６Ｂ、２０６Ｃ、３０６、４０６、５０６、６０６    加圧部
２０７、２０７Ａ、２０７Ｂ、２０７Ｃ、４０７、６０７ｂ    ガス溜、空気溜
２０８、２０８Ａ、２０８Ｂ、２０８Ｃ、    接続部
３０１ａ、５０１ａ    先端部（袋底部）
３０７    狭窄リング
４０７ａ、５０１ｂ    縊れ部
５０７    押圧リング
６０７ｃ    ポンプ（シリンジ）
６０７ａ    遮蔽膜
６０８    空気注入口
【図１】
2010074196.tif 000003
【図２】
2010074196.tif 000004
【図３】
2010074196.tif 000005
【図４】
2010074196.tif 000006
【図５】
2010074196.tif 000007
【図６】
2010074196.tif 000008
【図７】
2010074196.tif 000009
【図８】
2010074196.tif 000010
【図９】
2010074196.tif 000011
【図１０】
2010074196.tif 000012
【図１１】
2010074196.tif 000013
【図１２】
2010074196.tif 000014
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するための該ガスミスト圧浴用カバー内部と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記加圧手段が、前記生体カバー部材の狭窄手段から構成され、該狭窄手段により前記生体カバー部材を端部から狭窄することによって加圧を行うことを特徴とするガスミスト圧浴用カバー。
【請求項２】
所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するための該ガスミスト圧浴用カバー内部と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記加圧手段が、弾性を有するリング部材から構成され、前記リング部材の収縮力により、前記リング部材の内周で前記生体カバー部材の外周を押圧することにより加圧を行うことを特徴とするガスミスト圧浴用カバー。
【請求項３】
所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するための該ガスミスト圧浴用カバー内部と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記加圧手段が、前記生体カバー部材内を生体の挿入側と空気溜部とに画成する弾性部材からなる遮蔽膜と、該遮蔽膜により画成された前記空気溜部と、該空気溜部に接続されるポンプと、から構成され、
前記ポンプから前記空気溜部内に気体を送出することで、前記遮蔽膜を前記空気溜部から前記生体の挿入部側に膨張させることにより加圧を行うことを特徴とするガスミスト圧浴用カバー。
【請求項４】
前記ガスミスト供給口が、内部に逆止弁を有することを特徴とする請求項１乃至３の何れか一項に記載のガスミスト圧浴用カバー。
【請求項５】
前記締付手段が、ゴム、紐、又は面ファスナーのうち何れか一つ又は複数の組み合わせにより構成されることを特徴とする請求項１乃至３の何れか一項に記載のガスミスト圧浴用カバー。
【請求項６】
前記生体カバー部材の生体の皮膚及び粘膜に接触する面に、該生体の皮膚及び粘膜に対して粘着性を有する貼着手段を一つ又は複数設けることを特徴とする請求項１乃至３の何れか一項に記載のガスミスト圧浴カバー。
【請求項７】
前記生体カバー部材の形状が、少なくとも人体の手指、手の平、及び手の甲を覆う手袋形状であることを特徴とする請求項１乃至３の何れか一項に記載のガスミスト圧浴用カバー。
【請求項８】
前記生体カバー部材の形状が、さらに少なくとも前腕を覆う長手袋形状であることを特徴とする請求項７に記載のガスミスト圧浴用カバー。
【請求項９】
前記生体カバー部材の形状が、少なくとも人体の足指、足底、及び足の甲を覆う靴下形状であることを特徴とする請求項１乃至３の何れか一項に記載のガスミスト圧浴用カバー。
【請求項１０】
前記生体カバー部材の形状が、さらに少なくとも踝及び下肢を覆う長靴下形状であることを特徴とする請求項９に記載のガスミスト圧浴用カバー。
【手続補正２】
【補正対象書類名】明細書
【補正対象項目名】０００８
【補正方法】変更
【補正の内容】
【０００８】
上記課題を解決するために、本発明は、所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、その開口部を締め付けて前記ガスミストの放散を防ぐ締付手段と、前記ガスミスト圧浴用カバー内に前記ガスミストを導入するためのそのガスミスト圧浴用カバー内部と連通するガスミスト供給口と、前記ガスミスト圧浴用カバー内に封入された空気、前記ガスミスト又はガスを排出しその量を調整する排出口と、前記生体カバー部材内を加圧する加圧手段と、を備え、前記加圧手段が、前記生体カバー部材の狭窄手段から構成され、その狭窄手段により前記生体カバー部材を端部から狭窄することによって加圧を行うことを特徴とするガスミスト圧浴用カバーを提供するものである。
【手続補正３】
【補正対象書類名】明細書
【補正対象項目名】００１０
【補正方法】変更
【補正の内容】
【００１０】
また、上記課題を解決するために、本発明は、所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、その開口部を締め付けて前記ガスミストの放散を防ぐ締付手段と、前記ガスミスト圧浴用カバー内に前記ガスミストを導入するためのそのガスミスト圧浴用カバー内部と連通するガスミスト供給口と、前記ガスミスト圧浴用カバー内に封入された空気、前記ガスミスト又はガスを排出しその量を調整する排出口と、前記生体カバー部材内を加圧する加圧手段と、を備え、前記加圧手段が、弾性を有するリング部材から構成され、前記リング部材の収縮力により、前記リング部材の内周で前記生体カバー部材の外周を押圧することにより加圧を行うことを特徴とするガスミスト圧浴用カバーを提供するものである。
さらに、上記課題を解決するために、本発明は、所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、その開口部を締め付けて前記ガスミストの放散を防ぐ締付手段と、前記ガスミスト圧浴用カバー内に前記ガスミストを導入するためのそのガスミスト圧浴用カバー内部と連通するガスミスト供給口と、前記ガスミスト圧浴用カバー内に封入された空気、前記ガスミスト又はガスを排出しその量を調整する排出口と、前記生体カバー部材内を加圧する加圧手段と、を備え、前記加圧手段が、前記生体カバー部材内を生体の挿入側と空気溜部とに画成する弾性部材からなる遮蔽膜と、その遮蔽膜により画成された前記空気溜部と、その空気溜部に接続されるポンプと、から構成され、前記ポンプから前記空気溜部内に気体を送出することで、前記遮蔽膜を前記空気溜部から前記生体の挿入部側に膨張させることにより加圧を行うことを特徴とするガスミスト圧浴用カバーを提供するものである。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するための該ガスミスト圧浴用カバー内部と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記加圧手段が、前記生体カバー部材の狭窄手段から構成され、該狭窄手段により前記生体カバー部材を端部から狭窄することによって加圧を行うことを特徴とするガスミスト圧浴用カバー。
【請求項２】
所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、
前記生体の皮膚及び粘膜を覆う袋状の生体カバー部材と、
前記生体カバー部材の開口部に設けられ、該開口部を締め付けて前記ガスミストの放散を防ぐ締付手段と、
前記ガスミスト圧浴用カバー内に前記ガスミストを導入するための該ガスミスト圧浴用カバー内部と連通するガスミスト供給口と、
前記ガスミスト圧浴用カバー内に封入された空気、前記ガスミスト又はガスを排出しその量を調整する排出口と、
前記生体カバー部材内を加圧する加圧手段と、
を備え、
前記加圧手段が、弾性を有するリング部材から構成され、前記リング部材の収縮力により、前記リング部材の内周で前記生体カバー部材の外周を押圧することにより加圧を行うことを特徴とするガスミスト圧浴用カバー。
【請求項３】
前記ガスミスト供給口が、内部に逆止弁を有することを特徴とする請求項１又は２に記載のガスミスト圧浴用カバー。
【請求項４】
前記締付手段が、ゴム、紐、又は面ファスナーのうち何れか一つ又は複数の組み合わせにより構成されることを特徴とする請求項１又は２に記載のガスミスト圧浴用カバー。
【請求項５】
前記生体カバー部材の生体の皮膚及び粘膜に接触する面に、該生体の皮膚及び粘膜に対して粘着性を有する貼着手段を一つ又は複数設けることを特徴とする請求項１又は２に記載のガスミスト圧浴用カバー。
【請求項６】
前記生体カバー部材の形状が、少なくとも人体の手指、手の平、及び手の甲を覆う手袋形状であることを特徴とする請求項１又は２に記載のガスミスト圧浴用カバー。
【請求項７】
前記生体カバー部材の形状が、さらに少なくとも前腕を覆う長手袋形状であることを特徴とする請求項６に記載のガスミスト圧浴用カバー。
【請求項８】
前記生体カバー部材の形状が、少なくとも人体の足指、足底、及び足の甲を覆う靴下形状であることを特徴とする請求項１又は２に記載のガスミスト圧浴用カバー。
【請求項９】
前記生体カバー部材の形状が、さらに少なくとも踝及び下肢を覆う長靴下形状であることを特徴とする請求項８に記載のガスミスト圧浴用カバー。
【手続補正２】
【補正対象書類名】明細書
【補正対象項目名】００１０
【補正方法】変更
【補正の内容】
【００１０】
また、上記課題を解決するために、本発明は、所定値以上の濃度の炭酸ガス、又は酸素、又は炭酸ガスと酸素の混合ガス（以下、「ガス」という）と液体を粉砕溶解したミスト（以下、「ガスミスト」という）を封入して生体の皮膚及び粘膜に直接接触させるためのガスミスト圧浴用カバーであって、前記生体の皮膚及び粘膜を覆う袋状の生体カバー部材と、前記生体カバー部材の開口部に設けられ、その開口部を締め付けて前記ガスミストの放散を防ぐ締付手段と、前記ガスミスト圧浴用カバー内に前記ガスミストを導入するためのそのガスミスト圧浴用カバー内部と連通するガスミスト供給口と、前記ガスミスト圧浴用カバー内に封入された空気、前記ガスミスト又はガスを排出しその量を調整する排出口と、前記生体カバー部材内を加圧する加圧手段と、を備え、前記加圧手段が、弾性を有するリング部材から構成され、前記リング部材の収縮力により、前記リング部材の内周で前記生体カバー部材の外周を押圧することにより加圧を行うことを特徴とするガスミスト圧浴用カバーを提供するものである。
【国際調査報告】
2010074196.tif 000015
2010074196.tif 000016
2010074196.tif 000017
2010074196.tif 000018